(57)【要約】【課題】従来の布団乾燥機の構成を基に、温風乾燥によるダニの除去、および、掃除機によるダニの死骸等の粉塵等の除去を乾燥機のみで効率的に実施できる、乾燥機を提供することを目的とする。【解決手段】本発明の乾燥機は、送風部は、回転方向を変更可能なファンを備え、ファンの回転方向を変化させ、給気流又は吸引気流を発生させるようにしたので、加熱された空気による給気流により、ダニを死滅させ、吸引気流によりダニの死骸等を集塵することができるので、乾燥機のみでダニの除去、および、掃除機によるダニの死骸等の粉塵等の除去を行うことができるという効果を得ることができる。【選択図】図１
2020137592.tif 000002
【特許請求の範囲】
【請求項１】
吸排気口を有した本体ケースと、
給気流及び吸引気流を発生させる送風部と、
前記給気流及び前記吸引気流が通過する通風路と、
前記通風路に設けられ空気を加熱するヒータと、
前記送風部と前記ヒータとの動作を制御する制御部と、
前記本体ケースに取り付けられた前記給気流及び前記吸引気流を通風するホースと、
前記通風路を通過する気流の粉塵を集塵する着脱自在の集塵フィルタと、を備えた乾燥機において、前記送風部は、回転方向を変更可能なファンを備え、前記ファンの回転方向を変化させ、前記給気流又は前記吸引気流を発生させることを特徴とする乾燥機。
【請求項２】
前記制御部は、前記送風部の前記ファンが前記給気流を発生させる回転の場合、前記ヒータを加熱することを特徴とする請求項１に記載の乾燥機。
【請求項３】
前記制御部は、前記送風部の前記ファンが前記吸引気流を発生させる回転の場合、前記ヒータを停止することを特徴とする請求項１又は請求項２に記載の乾燥機。
【請求項４】
前記集塵フィルタは、前記本体ケースと前記ホースの連結部に配置された集塵フィルタ固定部に配置されることを特徴とする請求項１から請求項３のいずれかに記載の乾燥機。
【発明の詳細な説明】
【技術分野】
【０００１】
本発明は、布団やベッドの寝具の乾燥や暖房に使用される乾燥機に関するものである。
【背景技術】
【０００２】
従来、寝具の乾燥や暖房に使用される乾燥機として、ホースに吹出しノズルを装着した布団乾燥機が知られている（例えば、特許文献１参照）。
【０００３】
以下、その布団乾燥機について図８および図９を参照しながら説明する。
【０００４】
図８に示すように、本体１０１内にファン１０２とヒータ１０３を配置し、ホース１０４を備えることにより温風を出す。また、吹出ノズル１０５をホースに装着することで、図９に示すように布団１２内部に吹出ノズル１０５を設置し、布団１２を乾燥している。
【先行技術文献】
【特許文献】
【０００５】
【特許文献１】実開昭６２−１９６１９１号公報
【発明の概要】
【発明が解決しようとする課題】
【０００６】
このような従来の布団乾燥機においては、近年ダニ退治や抑制を目的として使用されることも多くなっているが、使用後は、ダニの死骸、ふん、抜け殻などのダニアレルゲンを掃除機で吸い取らなければならない。一方、掃除で使用している掃除機のノズルは汚れているため、布団専用掃除機ノズルを別途用意し、ノズルを付け替えた後、布団に掃除機をかけなければならず、布団内のダニ除去には、複数の器具を用いる必要があり、器具の交換や持ち運び等が必要であり、猥雑な作業であるという課題を有していた。
【０００７】
そこで本発明は、上記従来の課題を解決するものであり、従来の布団乾燥機の構成を基に、温風乾燥によるダニの除去、および、掃除機によるダニの死骸等の粉塵等の除去を１台の乾燥機のみで効率的に実施できる、乾燥機を提供することを目的とする。
【課題を解決するための手段】
【０００８】
そして、この目的を達成するために、本発明は、吸排気口を有した本体ケースと、給気流及び吸引気流を発生させる送風部と、前記給気流及び前記吸引気流が通過する通風路と、前記通風路に設けられ空気を加熱するヒータと、前記送風部と前記ヒータとの動作を制御する制御部と、前記本体ケースに取り付けられた前記給気流及び前記吸引気流を通風するホースと、前記通風路を通過する気流の粉塵を集塵する着脱自在の集塵フィルタとを備えた乾燥機において、前記送風部は、回転方向を変更可能なファンを備え、前記ファンの回転方向を変化させ、前記給気流又は前記吸引気流を発生させることを特徴とするものであり、これにより所期の目的を達成するものである。
【発明の効果】
【０００９】
本発明によれば、乾燥機の送風部におけるファンの回転方向を変化させ、給気流又は吸引気流を発生させるという構成により、給気流を加熱し、布団やベッドに供給することで、ダニを死滅させ、さらに吸引気流によりダニの死骸等の粉塵を集塵することができる。すなわち、乾燥機のみでダニの除去とダニの死骸等の粉塵等を除去することができるという効果を得ることができる。
【図面の簡単な説明】
【００１０】
【図１】本発明の実施の形態１の乾燥機の概略断面図である。
【図２】同乾燥機のヒータを示した概略斜視図である。
【図３】同乾燥機の集塵フィルタの固定構造を示した概略斜視図である。
【図４】同乾燥機の乾燥運転時の給気流の流れを示した概略断面図である。
【図５】同乾燥機の集塵運転時の吸引気流の流れを示した概略断面図である。
【図６】同乾燥機の乾燥運転時の使用状態を示す概略図である。
【図７】同乾燥機の集塵運転時の使用状態を示す概略図である。
【図８】従来の布団乾燥機を示す概略断面図である。
【図９】従来の布団乾燥機を示す概略斜視図である。
【発明を実施するための形態】
【００１１】
本発明の請求項１に記載の乾燥機は、吸排気口を有した本体ケースと、給気流及び吸引気流を発生させる送風部と、給気流及び吸引気流が通過する通風路と、通風路に設けられ空気を加熱するヒータと、送風部とヒータとの動作を制御する制御部と、本体ケースに取り付けられた給気流及び吸引気流を通風するホースと、通風路を通過する気流の粉塵を集塵する着脱自在の集塵フィルタとを備え、送風部は、回転方向を変更可能なファンを備え、ファンの回転方向を変化させ、給気流又は吸引気流を発生させることを特徴とする。
【００１２】
これにより、送風部で送風させた気流をヒータで加熱することで給気流を発生させ、給気流を布団やベッドの寝具内に供給することで、布団やベッドの寝具内を乾燥させ、ダニの死滅を図る。さらに、送風部のファンの回転を変化させることで吸引気流を発生させ、吸引気流によりダニの死骸等の粉塵を吸引することができる。また、通風路を通過する気流の粉塵を集塵する着脱自在の集塵フィルタを備えることで、給気流の送風時には集塵フィルタを通風路から離脱させることで、圧損を低減し、給気流の発生させることができる。一方、吸引気流の発生時には、集塵フィルタを通風路に着装させることで、ダニの死骸等の粉塵を捕集することができるという効果を備える。
【００１３】
したがって、本発明の乾燥機のみでダニの死滅とダニの死骸等の粉塵を除去することができるという効果を奏する。
【００１４】
また、本発明の請求項２に記載の乾燥機は、制御部は、送風部のファンが給気流を発生させる回転の場合、ヒータを加熱することを特徴とする。
【００１５】
これにより、送風部のファンが給気流を発生させる場合、ヒータを動作させることで、温風の給気流を正確に吹き出すことができる。したがって、布団やベッドの寝具内に温風を供給し、ダニを死滅させるという効果を奏する。
【００１６】
また、本発明の請求項３に記載の乾燥機は、制御部は、送風部のファンが吸引気流を発生させる回転の場合、ヒータを停止することを特徴とする。
【００１７】
これにより、送風部のファンが吸引気流を発生させる場合、吸引気流を加熱しないので、乾燥機の消費電力を削減するという効果を奏する。
【００１８】
また、本発明の請求項４に記載の乾燥機は、集塵フィルタは、本体ケースとホースの連結部に配置された集塵フィルタ固定部に配置されることを特徴とする。
【００１９】
これにより、吸引気流によって、布団やベッド等から吸引されたダニの死骸等の粉塵を本体ケースの内部に侵入するのを防ぎ、本体ケース内にダニの死骸等の粉塵が堆積することを抑制し、各部品の劣化を防止するという効果を奏する。
【００２０】
以下では、本発明の実施の形態に係る除湿機について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２１】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００２２】
（実施の形態１）
図１は、本発明の実施の形態の乾燥機の概略断面図である。
【００２３】
図１に示すように、乾燥機は、本体ケース１を備え、本体ケース１の下部の側面に吸排気口２を備え、本体ケース１の上部にはホース７が収納されている。ホース７の先端にはノズル１０が連結しており、ノズル１０の先端には吹出吸引口１１を備えている。
【００２４】
図１に示すように、本体ケース１には、送風部３と、通風路４を備え、通風路４内にヒータ５が設置されており、通風路４とホース７の連結部に集塵フィルタ８が設置されている。
【００２５】
図１に示すように、送風部３は本体ケース１の下部の側面の吸排気口２への吸排気の距離を短くし、ファン９は重量があることから、本体ケース１の下部に設置する。
【００２６】
図１に示すように、ホース７およびノズル１０は、本体ケース１からの取り出しを容易にし、ベッド等の高さでも差し込み高さを確保しやすいよう本体ケース１上部に設置する。したがって、送風部３とホース７の間にある通風路４およびヒータ５は本体ケース１の中央部に備えられる。また、制御部６は、送風部３とヒータ５、および集塵フィルタ８の動作を制御するため、各々への配線を短く抑えるよう本体ケース１下部に設置する。
【００２７】
図１に示すように、送風部３は、ファン９を備え、ファン９は、制御部６より指令を受けて、回転数、回転方向を制御している。例えば、制御部６より給気流２１の送風指令を受けた場合、ファン９は、吸排気口２から吸い込まれた空気を、上方のヒータ５へ送風する給気流２１を発生させる。また、制御部６より吸引気流２２の送風指令を受けた場合、ファン９は、給気流時の回転方向から逆回転させ、吹出吸引口１１から吸引する吸引気流２２を発生させることが可能である。
【００２８】
図１に示すように、ヒータ５は、ファン９から送風された空気を加熱する。ヒータ５はホース７と連結されており、ヒータ５を通過した空気は加熱され温風となり、ホース７へ送風される。ヒータ５は、例えばＰＴＣヒータである。これによりヒータ５は過度な温度上昇が抑えられ、安全性を向上させることができる。
【００２９】
図２は、通風路４に備えられたヒータ５の概略斜視図である。図２に示すように、ヒータ５は通風路４の中央に位置し、ヒータ５を通過するヒータ風路２３を設けている。また、このヒータ風路２３の周囲には、ヒータ５をバイパスするヒータバイパス風路２４を備えた構成である。この構成において、通風路４からホース７への送風気流について、ホース７の中央付近にヒータ風路２３を通過した温風が送風され、ホース７の表面付近にはヒータバイパス風路２４を通過した空気が流れる。したがって、ホース７の温度上昇を抑え、ホース７部材への劣化を抑えることができる。
【００３０】
図１及び図６に示すように、ホース７は、屈曲自在な円筒形状で、ヒータ５からの温風をノズル１０を経由して、吹出吸引口１１から吹き出す。ホース７は、吹出吸引口１１を可能な限り布団中心部に近づけ、かつ、本体ケース１上部にコンパクトに収納し、本体ケース１の寸法を最小限にする必要性を鑑み、最大に延長させた場合、概ね１００ｃｍ程度になるようにする。また、ノズル１０は本体ケース１の上部長辺とほぼ同等の長さである。ノズル１０およびホース７の断面直径は、温風を効率よく送風でき、本体ケース１の上部短辺より小さくする必要性を鑑み、５〜１０ｃｍ程度とする。
【００３１】
図１に示すように、集塵フィルタ８は、通風路４とホース７の連結部に備えられた集塵フィルタ固定部１３に配置されている。
【００３２】
集塵フィルタ固定部１３は、例えば、図３に示すように、スライド機構で構成され、集塵フィルタ８をフィルタガイド１４に沿ってスライドさせることで、集塵フィルタ８の着脱を可能にするものである。なお、図３は集塵フィルタ８を外した状態を示している。
【００３３】
また、集塵フィルタ固定部１３は、両端にフィルタ開ストッパー１５、および、フィルタ閉ストッパー１６を備えている。集塵フィルタ８がフィルタ閉ストッパー１６に当たるまで、集塵フィルタ８を左方向（図３のＢ）にスライドさせることで、集塵フィルタ８を風路上に設置することができる。また、集塵フィルタ８がフィルタ開ストッパー１５に当たるまで、集塵フィルタ８を右方向（図３のＢ）にスライドさせることで、集塵フィルタ８が風路から外れた状態になり、送風される空気は集塵フィルタ８を通過しない。
【００３４】
集塵フィルタ８は、ダニの死骸等を捕捉するために用いられるエアフィルタであり、例えば、ガラス繊維の濾紙を用いたＨＥＰＡフィルタである。
【００３５】
制御部６は、送風部３とヒータ５、および、集塵フィルタ８とを制御するように構成されている。制御部６は、給気流２１を発生させ温風を吹き出す乾燥運転と、吸引気流２２を発生させ粉塵を吸引する集塵運転とを備えている。
【００３６】
制御部６は、例えば、１つまたは複数のマイクロコンピュータを搭載した基板で構成される。制御部６は、入出力装置、例えば、乾燥機に備えられたスイッチやリモコン等で外部より指示される乾燥運転又は集塵運転の運転指示に基づいて、送風部３とヒータ５、および、集塵フィルタ８を制御する。具体的な指示について、以下、図を用いて説明する。
【００３７】
図４は、本発明の実施の形態の乾燥機における、乾燥運転の気流を示している。乾燥運転時、制御部６は、送風部３に給気流２１を発生させるようにファン９の回転方向を指示し、ヒータ５を加熱させる。送風部３は、ファン９を例えば、左回転させ、ヒータ５への上昇気流である給気流２１を発生させる。ヒータ５で温められた空気は通風路４とホース７を経由して、吹出吸引口１１から吹き出す。また、乾燥運転時、集塵フィルタ８は不要であるため、図３のＢの方向にユーザが集塵フィルタ８をスライドさせ、通風路４から集塵フィルタ８を外すようにする。吸排気口２からの空気をフィルタリングしたい場合には、吸排気口２にフィルタを別途設けてもよい。
【００３８】
図５は、本発明の実施の形態の乾燥機における、集塵運転の気流を示している。集塵運転時、制御部６は、送風部３に吸引気流２２を発生させるようにファン９の回転方向を指示する。送風部３は、ファン９を、右回転させ、通風路４からの空気を取り込む吸引気流２２を発生させる。集塵運転時、吸引したダニの死骸等の粉塵がヒータ５および送風部３等の内部機器に侵入しないよう、ユーザが集塵フィルタ８を図３のＡの方向にスライドさせ、集塵フィルタ８を通過させるように設置する。また、集塵運転時、ヒータ５による加熱は不要であるため、制御部６はヒータ５を停止させるよう指示する。
【００３９】
集塵運転時、吹出吸引口１１から吸引した空気は、ホース７を通って集塵フィルタ８を通過する。集塵フィルタ８は、吸い込まれた粉塵を集塵し、粉塵のない空気だけが通風路４のヒータバイパス風路２４を通過し吸排気口２から排出される。
【００４０】
図６は、本発明の実施の形態の乾燥機における乾燥運転時の使用状態を示す図である。図６に示すように、乾燥機によってダニ退治や抑制をする場合は、本体ケース１からホース７とノズル１０を引き出し、吹出吸引口１１を布団１２の中に設置し、温風を吹き出す乾燥運転をすることで、布団１２を温め、乾燥させる。５０度以上の温度で一定時間温めることで、ダニは死滅する。また、乾燥させることで、ダニの繁殖を防ぐことができる。
【００４１】
図７は、本発明の実施の形態の乾燥機における集塵運転時の使用状態を示す図である。図７に示すように、乾燥機によってダニの死骸等の粉塵を吸引する場合は、乾燥運転で使用したホース７とノズル１０をそのまま使用し、吹出吸引口１１を布団１２の上部に当て、吸引する集塵運転をすることで、布団１２表面および内部のダニの死骸等を吸引する。
【００４２】
このように、乾燥運転によるダニ退治と抑制、および、集塵運転によるダニアレルゲンの吸引を１台の乾燥機で効率的に実施することができる。
【産業上の利用可能性】
【００４３】
本発明にかかる乾燥機は、布団やベッド等の寝具の乾燥や暖房に利用される乾燥機等として有用である。
【符号の説明】
【００４４】
１    本体ケース
２    吸排気口
３    送風部
４    通風路
５    ヒータ
６    制御部
７    ホース
８    集塵フィルタ
９    ファン
１０    ノズル
１１    吹出吸引口
１２    布団
１３    集塵フィルタ固定部
１４    フィルタガイド
１５    フィルタ開ストッパー
１６    フィルタ閉ストッパー
２１    給気流
２２    吸引気流
２３    ヒータ風路
２４    ヒータバイパス風路
１０１    本体
１０２    ファン
１０３    ヒータ
１０４    ホース
１０５    吹出ノズル
【図１】
2020137592.tif 000003
【図２】
2020137592.tif 000004
【図３】
2020137592.tif 000005
【図４】
2020137592.tif 000006
【図５】
2020137592.tif 000007
【図６】
2020137592.tif 000008
【図７】
2020137592.tif 000009
【図８】
2020137592.tif 000010
【図９】
2020137592.tif 000011